(57)【特許請求の範囲】
【請求項１】
便器本体と、該便器本体の後側に設けられた上側支持部材および下側支持部材と、該上側支持部材および下側支持部材に支持されると共に前記便器本体の後面側に設けられた背もたれ部とを備えたトイレ構造であって、
前記背もたれ部は、回動可能なように前記上側支持部材又は下側支持部材の何れか一方に軸支され、且つ、
前記上側支持部材または下側支持部材に対し、前記便器本体の前後方向へスライド可能になされていることを特徴とするトイレ構造。
【請求項２】
前記便器本体の側方に延設されるように手摺を設けると共に、該手摺の高さは床面から６３０ｍｍ〜６８０ｍｍとなされていることを特徴とする請求項１記載のトイレ構造。
【請求項３】
前記便器本体の両側に設けられると共に、前記上側支持部材と下側支持部材とに架け渡される縦支持部材と、前記縦支持部材に沿って形成された複数の開口と、該開口に取り付けられるベルト留め具と、前記開口に取り付けられると共に、前記便器本体の側方に延設される手摺とを有することを特徴とする請求項１記載のトイレ構造。
【発明の詳細な説明】
【０００１】
【発明の属する技術分野】
この発明は、前後の位置や傾斜角度の調整を行うことのできる大型の背もたれを備えた低コストなトイレ構造に関するものである。
【０００２】
【従来の技術】
従来のトイレ、特に、福祉、介護用のトイレには、便器本体の背面側に背もたれを備えたものが存在し、例えば、特開平８−１８７２０５号公報や特開平５−１３６７０号公報には大型の背もたれを備えた便器が開示されている。
【０００３】
【発明が解決しようとする課題】
しかしながら、このような従来のトイレにおいては、大型の背もたれは、前後の位置や傾斜角度の調整を行うことができなかったり、また、リクライニングの調整は可能であっても、一軸で大型の背もたれを支持する構造となっているためコストが掛ったりするという問題があった。
【０００４】
更に、便器部分に設けられる手摺は、床面からの高さが６２０ｍｍ、または、７００ｍｍに設定されているので、４１０ｍｍ〜４５０ｍｍの座面高さを有する一般的な便座に着座した時の肘の位置から外れてしまい、安定して肘を支持させることができなかった。
【０００５】
そこで、本発明の目的は、上記の問題点を解消し、大型の背もたれであっても、前後の位置や傾斜角度の調整を行うことのできる低コストなトイレ構造を提供することにある。
【０００６】
【課題を解決するための手段】
上記課題を解決するために、請求項１に記載された発明では、便器本体と、該便器本体の後側に設けられた上側支持部材および下側支持部材と、該上側支持部材および下側支持部材に支持されると共に前記便器本体の後面側に設けられた背もたれ部とを備えたトイレ構造であって、前記背もたれ部は、回動可能なように前記上側支持部材又は下側支持部材の何れか一方に軸支され、且つ、前記上側支持部材または下側支持部材に対し、前記便器本体の前後方向へスライド可能になされていることを特徴としている。
【０００７】
このように構成された請求項１にかかる発明によれば、前記背もたれ部は、前記上側支持部材又は下側支持部材の何れか一方に回動可能に軸支されているので傾斜角度の調整を行うことができる。また、上側支持部材または下側支持部材は、他方に対してスライド可能なので、背もたれ部の前後の位置を調整することができる。また、少なくとも、上下の２箇所で背もたれ部を支持しているため作用する力を分散させることができるので、上側支持部材および下側支持部材には負荷がかからない。
【０００８】
ここで背もたれ部は、上側支持部材および下側支持部材の両方に回動自在に取付けても良い。また、上側支持部材および下側支持部材の両方とも伸縮動可能としても良い。
【０００９】
また、前記背もたれ部が、角度調整可能であるので、着座者が、腰が曲らない高齢者や片麻痺などで膝を伸縮することができない身体障害者など、腰を曲げて座位姿勢を保持することが困難な者であっても、最適な座位姿勢を保持できるように設定することができる。
【００１０】
請求項２に記載された発明では、前記便器本体の側方に延設されるように手摺を設けると共に、該手摺の高さは床面から６３０ｍｍ〜６８０ｍｍとなされていることを特徴としている。
【００１１】
このように構成された請求項２にかかる発明によれば、前記便器本体の側方に延設されるよう、床面からの高さがほぼ６３０ｍｍ〜６８０ｍｍの手摺を併設したので、４１０ｍｍ〜４５０ｍｍの座面高さを有する一般的な便座に着座した時の肘の位置に適合し、安定して肘を支持させることができるようになる。
【００１２】
そして、請求項３に記載されたものでは、前記便器本体の両側に設けられると共に、前記上側支持部材と下側支持部材とに架け渡される縦支持部材と、前記縦支持部材に沿って形成された複数の開口と、該開口に取り付けられるベルト留め具と、前記開口に取り付けられると共に、前記便器本体の側方に延設される手摺とを有する請求項１記載のトイレ構造を特徴としている。
【００１３】
このように構成された請求項３記載のものでは、前記ベルト留め具に、上半身固定用のベルトを装着して、便器本体に腰掛けた使用者の上半身を固定することが出来る。
【００１４】
このため、長時間、座位で姿勢を保つことが出来ると共に、身体が前のめりになったり、臀部が便座前方にズレてしまう虞が無い。
【００１５】
また、使用者の体型に合わせて、ベルトと手摺の位置を最適なところに設定することができる。
【００１６】
【発明の実施の形態１】
以下、本発明の具体的な実施の形態１について、図示例と共に説明する。
【００１７】
図１〜図１０は、この発明の実施の形態１を示すものである。
【００１８】
図１〜図３に示すように、トイレの床面１に便器本体２が据付けられ、この便器本体２には、便座３が取付けられている。そして、便器本体２の背面側には、水タンク５が取付けられている。便器本体２は、床面１からの高さ６がほぼ３８０ｍｍとなっており、これにより便座３面の高さはほぼ４１０ｍｍ〜４５０ｍｍとなる。
【００１９】
この実施の形態１では、便器本体２の背面側に、図４（ａ）〜（ｄ）に示すような、着座者の腰部から後頭部におよぶ大きさを有する大型の背もたれ部７を設けている。
【００２０】
上記背もたれ部７は、例えば、床面１から底面までの高さ８を５７２ｍｍとし、底面から上面までの高さ９を６２８ｍｍとする。そして、背もたれ部７の表面側に平面視凹状の凹面部１０を形成して背中を沿わせ易くなるようにする。また、背もたれ部７における着座者の首の位置に側面視凹状の凹部１１を設けると共に、後頭部の位置に側面視凸状の凸部１２を設けて後頭部を受け得るようにする。
【００２１】
この背もたれ部７は、図５、図６に示すように、トイレの奥側の側壁１３から上下に隔てて水平方向に立設された平面視ほぼコ字状の上側支持部材１４および下側支持部材１５によって水タンク５の前面側に支持されている。なお、この実施の形態１では、上側支持部材１４および下側支持部材１５は、丸パイプによって構成されており、上側支持部材１４および下側支持部材１５の間は、補強部材１６により連結されている。
【００２２】
この際、背もたれ部７の裏面側の上部と下部にそれぞれ、図７〜図９に示すように、側面視凹状の凹部１７，１８を形成し、ほぼコ字状をした上側支持部材１４および下側支持部材１５の中央連結部分１９，２０をこの凹部１７，１８内にほぼ収容させることにより、背もたれ部７の裏面に凹凸が少なくなるようにしている。なお、背もたれ部７の裏面側にはインサートプレート２１が設けられ、このインサートプレート２１と前記中央連結部分１９，２０との間が脱落防止機構付ネジ２２によって回動を許容可能に固定されている。
【００２３】
そして、上記背もたれ部７を、その上部の中央連結部分１９を中心として回動可能なことを利用して角度調整可能とする。この際、背もたれ部７の角度調整機構２３は、下側支持部材１５を伸縮構造２４にし伸縮動可能とすると共に、下側支持部材１５を適宜の伸縮状態で固定可能な固定機構２５を設けることによって構成する。
【００２４】
そのために、図１０に示すように、下側支持部材１５の両側腕部２６と中央連結部分２０とを分離して別体とし、中央連結部分２０の両端に両側腕部２６へ挿入可能な挿入端２７を形成して、両側腕部２６（外筒）と挿入端２７（内筒）との挿入量を変更することにより、下側支持部材１５を伸縮動可能とする。また、両側腕部２６の側部にネジ挿入孔２８を１つ形成し、挿入端２７の側部に所定のピッチで多数のネジ孔２９を形成し、ネジ挿入孔２８を通して何れかのネジ孔２９に外側から固定機構２５としての摘み付きネジ３０を螺着することにより、下側支持部材１５を適宜の伸縮位置にて固定可能とする。なお、下側支持部材１５の両側腕部２６の先端には、挿入端２７のガイドとしてナイロンキャップ３１を取付けておくなどする。
【００２５】
更に、前記背もたれ部７に、床面１からの高さ３２がほぼ６５０ｍｍ程度（６３０ｍｍ〜６８０ｍｍ）の手摺３３を併設する。この手摺３３は、下側支持部材１５の両側腕部２６先端に取付ける。そのために、下側支持部材１５は、床面１からの高さをほぼ６５０ｍｍ程度の位置に設ける。
【００２６】
また、下側支持部材１５の両側腕部２６に対し、手摺３３の後端部を回転ヒンジ機構３４を介して上方に回動（跳ね上げ）可能に取付け、自走式その他の車椅子などからの移乗時に干渉しないようにする。なお、上側支持部材１４および下側支持部材１５は、奥側の側壁１３に取付けることで、便器本体２まわりの空間を広く確保する。
【００２７】
次に、この実施の形態１の作用について説明する。
【００２８】
背もたれ部７は、上側支持部材１４又は下側支持部材１５のうち何れか一方に回動可能なように軸支されているので傾斜角度の調整を行うことができる。また、上側支持部材１４または下側支持部材１５の他方に対しスライド可能なので、背もたれ部７の前後の位置を調整することができる。また、少なくとも、上下の２箇所で背もたれ部７を支持しているため作用する力を分散させることができるので、上側支持部材１４および下側支持部材１５には負荷がかからない。
【００２９】
便器本体２の背面側に、着座者の腰部から後頭部に及ぶ大きさの背もたれ部７を設けたので、着座者が虚弱な高齢者などであっても、着座者の体全体を支持することができ、着座者は安定して座位姿勢を保持することができる。
【００３０】
特に、上記背もたれ部７の床面１から底面までの高さ８を５７２ｍｍとし、底面から上面までの高さ９を６２８ｍｍとすることにより、日本人の９５％に適合させることができる。
【００３１】
また、下側支持部材１５の両側腕部２６（外筒）と挿入端２７（内筒）との挿入量を変更し、両側腕部２６に形成されたネジ挿入孔２８を通して挿入端２７に形成された何れかのネジ孔２９に外側から固定機構２５としての摘み付きネジ３０を螺着することにより、背もたれ部７の角度を調整することができる。
【００３２】
この際、背もたれ部７裏面側のインサートプレート２１と上側支持部材１４および下側支持部材１５の中央連結部分１９，２０との間が脱落防止機構付ネジ２２によって僅かな傾動を許容可能に固定されているので、背もたれ部７の角度調整の際の変形を吸収することができる。
【００３３】
なお、背もたれ部７の角度調整機構２３を、伸縮構造２４を有する下側支持部材１５と、下側支持部材１５を適宜の伸縮状態で固定可能な固定機構２５とで構成したので、構造を簡略化し、設備コストを低減することが可能となる。
【００３４】
このように、背もたれ部７が、角度調整可能であるので、着座者が、腰が曲らない高齢者や片麻痺などで膝を伸縮することができない身体障害者など、腰を曲げて座位姿勢を保持することが困難な者であっても、最適な座位姿勢を保持できるように設定することができる。
【００３５】
また、前記背もたれ部７が、上部を中心として角度調整可能であるので、水タンク５などとの干渉を防止することができる。
【００３６】
更に、前記背もたれ部７に、床面１からの高さ３２がほぼ６５０ｍｍ程度の手摺３３を併設したので、４１０ｍｍ〜４５０ｍｍの座面高さを有する一般的な便座３に着座した時の肘の位置に適合し、安定して肘を支持させることができるようになる。
【００３７】
【実施の形態２】
図１１乃至図１６は、この発明の実施の形態２のトイレ構造を示すものである。なお、前記実施の形態１と同一乃至均等な部分については同一符号を付して説明する。
【００３８】
この実施の形態２のトイレ構造では、前記便器本体２の両側に、前記上側支持部材１４と下側支持部材１５とに架け渡される縦支持部材４０が設けられている。
【００３９】
この縦支持部材４０の側面４０ａには、この縦支持部材４０延設方向に沿って複数の開口４１…が、所定間隔をおいて形成されている。
【００４０】
この開口４１のうち、何れか一つには、ベルト留め具４２が、裏面側から突設された雄ネジ部４２ａを、この開口４１へ挿通すると共に、反対側側面からナット部材４２ｂを螺合させて着脱自在となるように取り付けられている。
【００４１】
このベルト留め具４２には、シートベルト４３，４４のベルト端部に設けられた環状取付部４３ａ，４４ａを係止する係止頭部４２ｃが、一体に突設されている。
【００４２】
また、この便器本体２の側方には、手摺３３が延設されている。
【００４３】
手摺３３は、回転ヒジ機構を内蔵しており上下に回動可能になされている。また、手摺３３に設けられた雄ネジ部３５を開口４１へ挿通するとともに反対側からナット部材を螺合させて着脱自在となるように縦支持部材４０に取り付けられる。
【００４４】
次に、この実施の形態２の作用について説明する。
【００４５】
このように構成された実施の形態２のトイレ構造では、前記ベルト留め具４２の係止頭部４２ｃに、上半身固定用のシートベルト４３，４４の端部の環状取付部４３ａ，４４ａを装着して、便器本体２の便座３に腰掛けた使用者の上半身を固定することが出来る。
【００４６】
このため、長時間、座位で姿勢を保つことが出来ると共に、身体が前のめりになったり、臀部が便座前方にズレてしまう虞が無い。
【００４７】
また、この実施の形態２では、前記ベルト留め具４２の上下方向位置を、前記開口４１の選択により変更可能であるので、利用者の体型に合わせて調整可能である。なお、前記手摺３３も同様に上下方向位置を変更可能である。
【００４８】
他の構成、及び作用効果については、前記実施の形態１と略同様であるので、説明を省略する。
【００４９】
【変形例１】
図１５は、この発明の実施の形態２の変形例１のトイレ構造を示すものである。なお、前記実施の形態２と同一乃至均等な部分については同一符号を付して説明する。
【００５０】
この変形例１のトイレ構造では、上側支持部１１４、下側支持部１１５及び縦支持部１４０が一体に構成された門形のフレーム部材４５が、上，下両端部に設けられた取付フランジ部１１４ａ，１１５ａを、前記側壁１３に対して取付ネジ４６，４６で固定することにより取り付けられている。
【００５１】
このうち、前記縦支持部１４０の側面４０ａには、この縦支持部１４０延設方向に沿って複数の開口４１…が、所定間隔をおいて形成されている。
【００５２】
そして、この縦支持部１４０には、手摺３３を回転ヒンジ機構３４を介して回動自在に支持するスライド部材１５０が、上下方向に沿って摺動自在になるように設けられている。
【００５３】
このスライド部材１５０には、取付孔１５０ａ，１５０ａが形成されていて、ボルト１６０，１６０及びナット１７０，１７０によって前記開口４１，４１のいづれかに挿通固着されるように構成されている。
【００５４】
次に、この変形例１の作用について説明する。
【００５５】
この変形例１では、前記スライド部材１５０の上下方向へのスライド移動によって、手摺３３位置を変更可能であるので、利用者の体型に合わせて調整可能である。
【００５６】
他の構成、及び作用効果については、前記実施の形態２と略同様であるので、説明を省略する。
【００５７】
【変形例２】
図１６は、この発明の実施の形態２の変形例２のトイレ構造を示すものである。なお、前記実施の形態２と同一乃至均等な部分については同一符号を付して説明する。
【００５８】
この変形例２のトイレ構造では、上側支持部材１４、下側支持部材１５間に架け渡されて、背もたれ部材２００が設けられている。
【００５９】
この背もたれ部材２００の側面部には、延設方向に沿って複数の開口４１…が、所定間隔をおいて形成されている。
【００６０】
この開口４１…のうち、何れか一つには、ベルト留め具４２が、着脱自在となるように取り付けられている。
【００６１】
次に、この変形例２の作用について説明する。
【００６２】
この変形例２では、前記ベルト留め具４２の上下方向位置を、前記開口４１の選択により変更可能であるので、利用者の体型に合わせて調整可能である。
【００６３】
他の構成、及び作用効果については、前記実施の形態１と略同様であるので、説明を省略する。
【００６４】
以上、この発明の実施の形態を図面により詳述してきたが、具体的な構成はこの実施の形態に限らず、この発明の要旨を逸脱しない範囲の設計の変更等があってもこの発明に含まれる。
【００６５】
例えば、背もたれ部７は、上側支持部材１４又は下側支持部材１５の片方または両方に回動可能なように軸支させても良い。また、上側支持部材１４および下側支持部材１５の両方ともスライド可能としても良い。
【００６６】
【発明の効果】
以上説明してきたように、請求項１の発明によれば、前記背もたれ部は、前記上側支持部材又は下側支持部材の何れか一方に回動可能に軸支されているので傾斜角度の調整を行うことができる。また、上側支持部材または下側支持部材は、他方に対してスライド可能なので、背もたれ部の前後の位置を調整することができる。また、少なくとも、上下の２箇所で背もたれ部を支持しているため作用する力を分散させることができるので、上側支持部材および下側支持部材には負荷がかからない。
【００６７】
ここで背もたれ部は、上側支持部材および下側支持部材の両方に回動自在に取付けても良い。また、上側支持部材および下側支持部材の両方とも伸縮動可能としても良い。
【００６８】
また、前記背もたれ部が、角度調整可能であるので、着座者が、腰が曲らない高齢者や片麻痺などで膝を伸縮することができない身体障害者など、腰を曲げて座位姿勢を保持することが困難な者であっても、最適な座位姿勢を保持できるように設定することができる。
【００６９】
また、請求項２の発明によれば、便器本体の側方に延設されるよう、床面からの高さがほぼ６３０ｍｍ〜６８０ｍｍの手摺を併設したので、４１０ｍｍ〜４５０ｍｍの座面高さを有する一般的な便座に着座した時の肘の位置に適合し、安定して肘を支持させることができるようになる。
【００７０】
そして、請求項３に記載されたものでは、前記ベルト留め具に、上半身固定用のベルトを装着して、便器本体に腰掛けた使用者の上半身を固定することが出来る。
【００７１】
このため、長時間、座位で姿勢を保つことが出来ると共に、身体が前のめりになったり、臀部が便座前方にズレてしまう虞が無い。
【００７２】
また、使用者の体型に合わせて、ベルトと手摺の位置を最適なところに設定することができる、という実用上有益な効果を発揮し得る。
【図面の簡単な説明】
【図１】本発明の実施の形態１の全体側面図である。
【図２】図１の正面図である。
【図３】図１の平面図である。
【図４】（ａ）は背もたれ部の側面図、（ｂ）は背もたれ部の正面図、（ｃ）は（ｂ）のＡ−Ａ断面図、（ｄ）は（ｂ）のＢ−Ｂ断面図である。
【図５】図１の部分拡大図である。
【図６】図５の平面図である。
【図７】図６の背面図である。
【図８】背もたれ部背面上部の取付け構造を示す側方断面図である。
【図９】背もたれ部背面下部の取付け構造を示す側方断面図である。
【図１０】下側支持部材の縦断面図である。
【図１１】本発明の実施の形態２のトイレ構造で、ベルト留め具の取付を説明する斜視図である。
【図１２】実施の形態２のトイレ構造の全体の構成を説明する側面図である。
【図１３】実施の形態２のトイレ構造で、（ａ）は、ベルト留め具の取付を説明する斜視図で、（ｂ）は、（ａ）中Ｃ−Ｃ線に沿った位置での断面図である。
【図１４】実施の形態２のトイレ構造で、手摺の付け根部分の拡大斜視図である。
【図１５】実施の形態２の変形例１のトイレ構造を示し、一部の構成を表す側面図である。
【図１６】実施の形態２の変形例２のトイレ構造を示し、全体の構成を表す斜視図である。
【符号の説明】
１     床面
２     便器本体
７     背もたれ部
１４    上側支持部材
１５    下側支持部材
３２    高さ
３３    手摺
４０    縦支持部材
４１    開口
４２    ベルト留め具
２００  背もたれ部材
【図１】
0003654815.tif 000002
【図２】
0003654815.tif 000003
【図３】
0003654815.tif 000004
【図４】
0003654815.tif 000005
【図５】
0003654815.tif 000006
【図６】
0003654815.tif 000007
【図７】
0003654815.tif 000008
【図８】
0003654815.tif 000009
【図９】
0003654815.tif 000010
【図１０】
0003654815.tif 000011
【図１１】
0003654815.tif 000012
【図１２】
0003654815.tif 000013
【図１３】
0003654815.tif 000014
【図１４】
0003654815.tif 000015
【図１５】
0003654815.tif 000016
【図１６】
0003654815.tif 000017